【手続補正書】
【提出日】平成19年6月26日(2007.6.26)
【手続補正１】
【補正対象書類名】明細書
【補正対象項目名】特許請求の範囲
【補正方法】変更
【補正の内容】
【特許請求の範囲】
【請求項１】  遊技領域を有する遊技盤と、前記遊技盤がその内側に取り付けられる保持枠と、前記保持枠を載置する載置面を有し、前記保持枠を内側に取り付けた状態で前記保持枠の底面が前記載置面に載置される枠状の本体部材とを備えた遊技機であって、
前記遊技盤の底面に取り付けられた第１接地板と、
前記保持枠の底板を上下方向に貫通し、前記遊技盤を前記保持枠に取り付けた状態で前記第１接地板の下方に位置する第１孔と、
前記第１孔を前記保持枠の底面側から覆う第２接地板と、
前記第１孔に挿入され、前記第２接地板の上面に一端が取り付けられた金属製の第１バネと、
前記第１バネの他端に取り付けられ、前記第１バネによって上方に付勢された第１接地端子と、
前記載置面に形成され、前記保持枠を前記本体部材に取り付けた状態で前記第２接地板の下方に位置する第２孔と、
前記第２孔の底に取り付けられ、アース接続された第３接地板と、
前記第２孔内に挿入されるとともに前記第３接地板の上面に一端が取り付けられ、鉛直方向において前記第１バネと同一の軸上に位置する金属製の第２バネと、
前記第２バネの他端に取り付けられ、前記第２バネによって上方に付勢された第２接地端子とを備え、
前記遊技盤を前記保持枠に取り付けたときに前記第１バネの付勢に抗して前記第１接地板が前記第１接地端子に当接し、前記保持枠を前記本体部材に取り付けたときに前記第２バネの付勢に抗して前記第２接地板が前記第２接地端子に当接することを特徴とする遊技機。
【請求項２】  前記第１接地端子又は前記第２接地端子の少なくともいずれか一方の先端を曲面にし、その曲面に形成された部分を前記保持枠の内側又は前記本体基部の内側に突出させたことを特徴とする請求項１記載の遊技機。
【請求項３】  前記第１接地端子と前記第１接地板又は前記第２接地端子と前記第２接地板とが当接しているか否かを監視することにとって、前記遊技盤又は前記保持部材の着脱状態を監視することを特徴とする請求項１又は２遊技機。
【請求項４】  前記保持枠には、前記遊技盤の遊技領域を視認させる窓部を備えた扉部材が組み付けられることを特徴とする請求項１〜３のいずれかに記載の遊技機。（【００１２】、図２）
【手続補正２】
【補正対象書類名】明細書
【補正対象項目名】０００６
【補正方法】変更
【補正の内容】
【０００６】
【課題を解決するための手段】
上記目的を達成するために、本発明の遊技機は、遊技領域を有する遊技盤と、前記遊技盤がその内側に取り付けられる保持枠と、前記保持枠を載置する載置面を有し、前記保持枠を内側に取り付けた状態で前記保持枠の底面が前記載置面に載置される枠状の本体部材とを備えた遊技機であって、前記遊技盤の底面に取り付けられた第１接地板と、前記保持枠の底板を上下方向に貫通し、前記遊技盤を前記保持枠に取り付けた状態で前記第１接地板の下方に位置する第１孔と、前記第１孔を前記保持枠の底面側から覆う第２接地板と、前記第１孔に挿入され、前記第２接地板の上面に一端が取り付けられた金属製の第１バネと、前記第１バネの他端に取り付けられ、前記第１バネによって上方に付勢された第１接地端子と、前記載置面に形成され、前記保持枠を前記本体部材に取り付けた状態で前記第２接地板の下方に位置する第２孔と、前記第２孔の底に取り付けられ、アース接続された第３接地板と、前記第２孔内に挿入されるとともに前記第３接地板の上面に一端が取り付けられ、鉛直方向において前記第１バネと同一の軸上に位置する金属製の第２バネと、前記第２バネの他端に取り付けられ、前記第２バネによって上方に付勢された第２接地端子とを備え、前記遊技盤を前記保持枠に取り付けたときに前記第１バネの付勢に抗して前記第１接地板が前記第１接地端子に当接し、前記保持枠を前記本体部材に取り付けたときに前記第２バネの付勢に抗して前記第２接地板が前記第２接地端子に当接するものである。
【手続補正３】
【補正対象書類名】明細書
【補正対象項目名】０００７
【補正方法】変更
【補正の内容】
【０００７】
また、前記第１接地端子又は前記第２接地端子の少なくともいずれか一方の先端を曲面にし、その曲面に形成された部分を前記保持枠の内側又は前記本体基部の内側に突出させることが好ましい。
【手続補正４】
【補正対象書類名】明細書
【補正対象項目名】０００８
【補正方法】変更
【補正の内容】
【０００８】
また、前記第１接地端子と前記第１接地板又は前記第２接地端子と前記第２接地板とが当接しているか否かを監視することにとって、前記遊技盤又は前記保持部材の着脱状態を監視することが好ましい。
【手続補正５】
【補正対象書類名】明細書
【補正対象項目名】０００９
【補正方法】変更
【補正の内容】
【０００９】
また、前記保持枠には、前記遊技盤の遊技領域を視認させる窓部を備えた扉部材が組み付けられることが好ましい。
【手続補正６】
【補正対象書類名】明細書
【補正対象項目名】００１９
【補正方法】変更
【補正の内容】
【００１９】
図５に、遊技盤ユニット１０が保持枠１１の保持部１１ａにて保持され、さらに遊技盤ユニット１０を保持した保持枠１１が本体部材３の組み込み空間部３ａに組み込まれ、本体材３の載置面３ｅに載置されている場合の側方断面図を示す。接地端子（第１接地端子）１４は接地端子（第２接地板）１５と同通している導電性を有し、保持枠１３の底板１１ｅを貫通する第１孔１１ｆに挿入された金属からなるバネ（第１バネ）３０に基づいて鉛直上方向に付勢されており、接地板（第１接地板）１３によって押し付けられるようになっている。また、接地端子１４は、遊技盤ユニット１０が保持部１１ａから外されているときには、係止突起１１ｄに係止されることによって上方に飛び出す部分が制限され、これにより接地端子１４の上部が保持部１１ａの内側に向けて突出するようになっている。さらに、接地端子１４の上部は曲面となっており、遊技盤ユニット１０を保持部１１ａに取り付ける際の接地板１３と接地端子１４との接合における抵抗となることを減少させるようになっている。バネ３０は、接地端子１４と、接地板１５とに当接して、接地端子１４と接地板１５とを電気的に導通している。なお、バネ３０は、導電性を有する弾性部材であれば良く、その材質は金属でなくとも良い。
【手続補正７】
【補正対象書類名】明細書
【補正対象項目名】００２０
【補正方法】変更
【補正の内容】
【００２０】
接地端子１６は導電板（第３接地板）３２と導通している導電性を有し、本体部材３の載置面３ｅに形成されている第２孔３ｆに挿入された金属からなるバネ（第２バネ）３１に基づいて鉛直上方向に付勢されており、接地板１５によって押し付けられるようになっている。また、接地端子１６は、保持枠１１が組み込み空間部３ａから外されているときには、係止突起３ｄに係止されることによって上方に飛び出す部分が制限され、これにより接地端子１６の上部が組み込み空間部３ａの内側に向けて突出するようになっている。さらに、接地端子１６の上部は曲面となっており、保持枠１１を組み込み空間部３ａに組み込む際の接地板１５と接地端子１６との接合における抵抗となることを減少させるようになっている。バネ３１は、接地端子１６と、本体部材３内に設けられたアースとなる接地部（図示せず）と電気的に導通された導電板３２とに当接して、接地端子１６を接地状態としている。なお、バネ３１は、導電性を有する弾性部材であれば良く、その材質は金属でなくとも良い。